(57)【特許請求の範囲】
【請求項１】
廃材、特にプラスチックの廃材と、プラスチック製の中空部片を選別する装置は、
コンベヤーベルト(１)が、格子状の構造を備え、複数の噴射ノズル(１０)がコンベヤーベルト(１)の下に設けられ、
選別対象である廃材(４)が、バラバラの態様で前記コンベヤーベルト(１)上に置かれ、
センサー(２)の下に移送され、そこで前記廃材のタイプおよび／または色彩のタイプに関して検査を施され、それぞれのタイプに応じて選別される、
装置であって、
前記コンベヤーベルト(１)の上方に、前記コンベヤーベルト(１)の移送方向(５)を横断する方向に、廃材の各タイプ毎に排除コンベヤーベルト(６)が設けられ、
廃材は、前記コンベヤーベルト(１)の下方から、上方に位置する前記排除コンベヤーベルト(６)に向けて吹き飛ばされ、
前記上方に位置する複数の排除コンベヤーベルトは連続的な態様で配置されており、
捕捉装置(７)が、前記排除コンベヤーベルト(６)に横付けして設けられる、
ことを特徴とする廃材、特にプラスチックの廃材と、プラスチック製の中空部片を選別する装置。
【請求項２】
噴射ノズル(１０)が、前記コンベヤーベルト(１)の上側ストランド(８)と下側ストランド(９)の間に設けられる点に特徴を有する請求項１記載の装置。
【請求項３】
前記排除コンベヤーベルト(６)は、その上側ストランド(１３)と下側ストランド(１２)が、前記コンベヤーベルト(１)の前記上側ストランド(８)の上側と下側に、それぞれ、設けられる点に特徴を有する請求項１または２記載の装置。
【発明の詳細な説明】
【０００１】
【発明の属する技術分野】
この発明は、請求項１の前文の記載による廃材、特に、プラスチック廃材の選別装置に関する。
【０００２】
【従来の技術】
公知の分離・選別装置は、直ぐに単位時間当たりの選別量という限界に遭遇するものである。ＡＴ第４０２，１６５号によれば、例えば、いわゆるターンテーブル式のものが知られており、この場合は、廃材がバラバラにターンテーブルに供給され、それぞれの位置で吹き払われるようにターンテーブルの縁部に位置を占める。
【０００３】
この種の選別装置においては、選別生産性の増大は、ターンテーブルの回転速度またはその径のうちのいずれかが増大した場合にのみ達成可能である。これらの両方法は、廃材の選別過程における生産性の増加に較べて、機械の特定部分の膨大化が不釣合いに早く進むので問題があるとともに、このユニットを装置に収容する場合にも問題となる。他方においては、回転速度の増大が、選別過程における不正確性を招きがちである。
【０００４】
さらには、選別排出される廃材を移送するとともに、廃材をコンベヤーベルトの両縁部に亘って押圧または吹送することによって選別が起きるゴム製のコンベヤーベルトが知られている。しかしながら、これは、選別対象である廃材片と掃過または吹送装置との間に、別の廃材片があることが許されないので、コンベヤーベルトの幅全体を使用することができないという不利を招く。したがって、選別生産性を増大するためには、不釣合いな大規模にコンベヤーベルトの長さを増加することが必要である。
【０００５】
廃材が、廃材の落下中に、コンベヤーベルトの端部から所望の方向に吹払われる場合にも、ゴム製のコンベヤーベルトが知られている。これもまた、コンベヤーベルトの端部には、吹送用ノズルや選別された廃材を収容する容器を配置するためにごく僅かなスペースしか設けられないという不利を招き、そのようなベルトの生産性は極めて低い。
【０００６】
【発明が解決しようとする課題】
したがって、上記の不利を回避し、選別装置に要求される床面積の小さい高選別出力を可能とする上記のタイプの装置を提供することがこの発明の目的である。
【０００７】
【課題を解決するための手段】
この目的は、請求項１の特徴部分によって達成される。
【０００８】
格子状構造を備えるコンベヤーベルトと、コンベヤーベルトの下に噴射ノズルを設けた構造を使用することによって、コンベヤーベルトの幅全体を利用することができる。何故ならば、噴射ノズルもまた、コンベヤーベルトの幅全体に沿って配置されるからである。したがって、従来の２倍の幅を備えるコンベヤーベルトを用いれば選別効率の大きさを２倍にすることができる。
【０００９】
請求項２の特徴は、噴射ノズルが選別の対象である廃材が露出される面の僅か数ミリメーター下に設けられるので、選別対象の部片を正確にトリガーすることができるという利点に導く。このようにすれば、たとえコンベヤーベルトの速度を上げた場合であっても、高選別効率を実現することが可能である。
【００１０】
請求項３の特徴は、吹き寄せられる廃材部片が、直接的に排除装置に向かって吹き飛ばされ、更に本発明とは無関係な局部的な状態で分散されるという利点に導く。選別される材料に応じて、例えば、多様な複数個の容器が異なる位置に設けられることができ、さもなければ、処理を更に施すための或る装置に、中間的な貯留を要することなく直接供給されることができる。
【００１１】
請求項４の特徴によれば、装置をこの発明にしたがって、利用可能な空間を最善に利用する態様でコンパクトに設計することが可能である。
【００１２】
請求項５の特徴は、この発明の装置が、吹き寄せ装置の不正確性と、廃材部片の重量のバラツキに対して敏感でないという利点に導く。もし、廃材部片が正確に吹き寄せられなかったり、廃材部片の重量が、或る限界値の範囲内で変化するならば、吹払われる廃材部片が排除装置の面に正確には位置しない場合が起こりうることになる。しかしながら、この発明の捕捉装置によれば、たとえ、廃材部片の飛走経路が、長すぎる場合でも、短すぎる場合でも、廃材部片が例外なく正確に捕捉装置に移送される。
【００１３】
【発明の実施の形態】
具体例に関する詳細な説明は、添付図面を参照しつつ以下に提供される。
【００１４】
図１において、コンベヤーベルト１の上方にセンサー２が設けられており、コンベヤーベルトの側部には異なる長さの波長の光を放射するランプ３が設けられる。廃材４、特にＰＶＣ、ポリエチレン、またはプラスチック箔等から製造される中空の部片のようなプラスチック廃材がコンベヤーベルト１の面に露出される。複数のコンベヤーベルトのような排除装置６が、移送方向に見られるようにセンサー２の下流側において、移送方向５を横断して設けられており、前記の排除装置は、コンベヤーベルト１の区域内における移送方向に沿って、断面が実質的にＵ字状をなす捕捉装置７によって囲まれる。
【００１５】
噴射ノズル１０は、それらの噴射方向１１が排除装置６の方向に向いて上方を指向するように、コンベヤーベルト１の上側ストランド８の下側であって、下側ストランド９の上側に位置する排除装置６の上流側に設けられる。
【００１６】
この発明の選別装置は、次のように作動する。
【００１７】
廃材部片４が、センサー２の前方において、ランダムな態様でコンベヤーベルト１の面に置かれる。ランプ３から放射されて廃材部片４から反射される光条によって、センサー２は、関連する材料のタイプ（ポリエチレン、ＰＶＣ、テトラパック、プラスチック製中空部片等）を識別する。また、それらの色彩に基づいて廃材を識別することも可能である、
上記の識別が行なわれた後、コンベヤーベルト面における廃材部片４それぞれの位置が知られ、厳密に規定されたエアジェットが、噴射ノズル１０を通過移動する間に選別される廃材部片に向かって格子状のコンベヤーベルト１を通して下から噴射される。エアジェットによって推進力が付与される結果、廃材部片４は、排除装置６に向かう方向に移動する。捕捉装置７は、廃材部片４だけが、ほぼ排除装置６に向かう方向に移動し、かつこれらを決して見逃さないように保証する。
【００１８】
或る特定の廃材毎に１つの排除装置６が設けられる。選別する廃材のタイプが増加すればする程、多くのタイプの排除装置を設けるべきである。
【図面の簡単な説明】
【図１】この発明の選別装置の側面図。
【図２】この発明の選別装置の正面図。
【図３】この発明の選別装置の平面図。
【符号の説明】
１…コンベヤーベルト，２…センサー，４…廃材，５…移送方向，６…排除装置，７…捕捉装置，８…上側ストランド，９…下側ストランド，１０…噴射ノズル，１２…コンベヤーベルトの下側ストランド，１３…コンベヤーベルトの上側ストランド。
【図１】
0004417486.tif 000002
【図２】
0004417486.tif 000003
【図３】
0004417486.tif 000004